(57)【要約】【課題】近接するユニット間の段差をなくし、装置外観の品位を高く維持すること。【解決手段】装置１本体に取り付けられる取付台座２１を具備する表示部２と、装置１本体に対して移動可能に取り付けられる原稿読取部３と、を有する画像形成装置１において、取付台座２１には貫通穴２ａが形成され、装置１本体に設けられた長突起１ａが貫通穴２ａを貫通して原稿読取部３に設けられた位置決め穴３ａに嵌合することを特徴とする。【選択図】図４
2015143761.tif 000002
【特許請求の範囲】
【請求項１】
装置本体に取り付けられる取付台座を具備する表示部と、
前記装置本体に対して移動可能に取り付けられる原稿読取部と、
を有する画像形成装置において、
前記取付台座には貫通穴が形成され、
前記装置本体に設けられた長突起が前記貫通穴を貫通して前記原稿読取部に設けられた位置決め穴に嵌合することを特徴とする画像形成装置。
【請求項２】
前記取付台座には位置決め溝が形成され、
前記装置本体に設けられた短突起が前記位置決め溝に嵌合することを特徴とする請求項１に記載の画像形成装置。
【請求項３】
前記表示部は前記取付台座に対して移動可能な可動部を具備することを特徴とする請求項１又は２に記載の画像形成装置。
【請求項４】
装置本体に取り付けられる取付台座を具備する表示部と、
前記装置本体に対して回動可能に取り付けられる原稿読取部と、
を有する画像形成装置において、
前記取付台座には貫通穴が形成され、
前記原稿読取部に設けられた長突起が前記貫通穴を貫通して前記装置本体に設けられた位置決め穴に嵌合することを特徴とする画像形成装置。
【請求項５】
前記取付台座には位置決め溝が形成され、
前記原稿読取部に設けられた短突起が前記位置決め溝に嵌合することを特徴とする請求項４に記載の画像形成装置。
【請求項６】
前記表示部は前記取付台座に対して移動可能な可動部を具備することを特徴とする請求項４又は５に記載の画像形成装置。
【請求項７】
装置本体に取り付けられる取付台座を具備する操作部と、
前記装置本体に対して移動可能に取り付けられる原稿読取部と、
を有する画像形成装置において、
前記取付台座には貫通穴が形成され、
前記装置本体に設けられた長突起が前記貫通穴を貫通して前記原稿読取部に設けられた位置決め穴に嵌合することを特徴とする画像形成装置。
【請求項８】
前記取付台座には位置決め溝が形成され、
前記装置本体に設けられた短突起が前記位置決め溝に嵌合することを特徴とする請求項７に記載の画像形成装置。
【請求項９】
前記操作部は前記取付台座に対して移動可能な可動部を具備することを特徴とする請求項７又は８に記載の画像形成装置。
【請求項１０】
装置本体に取り付けられる取付台座を具備する操作部と、
前記装置本体に対して回動可能に取り付けられる原稿読取部と、
を有する画像形成装置において、
前記取付台座には貫通穴が形成され、
前記原稿読取部に設けられた長突起が前記貫通穴を貫通して前記装置本体に設けられた位置決め穴に嵌合することを特徴とする画像形成装置。
【請求項１１】
前記取付台座には位置決め溝が形成され、
前記原稿読取部に設けられた短突起が前記位置決め溝に嵌合することを特徴とする請求項１０に記載の画像形成装置。
【請求項１２】
前記操作部は前記取付台座に対して移動可能な可動部を具備することを特徴とする請求項１０又は１１に記載の画像形成装置。
【発明の詳細な説明】
【技術分野】
【０００１】
本発明は、操作表示部及び原稿読取部を有する、複写機、プリンタ、ファクシミリ等の画像形成装置に関する。
【背景技術】
【０００２】
従来、複写機、プリンタ、ファクシミリ等の画像形成装置においては操作表示部が設けられている。また、複写機やファクシミリ等の画像形成装置には、原稿読取部が備えられる。操作表示部及び原稿読取部はそれぞれ、画像形成装置本体に対して個別に位置決めされている場合が多い（例えば、特許文献１、特許文献２参照）。
【先行技術文献】
【特許文献】
【０００３】
【特許文献１】特開２００５−３０１１５４
【特許文献２】特開２００８−１３４３０１
【発明の概要】
【発明が解決しようとする課題】
【０００４】
しかし、上述のような従来の位置決め方法だと、操作表示部と原稿読取部と装置本体のカバーとの位置ばらつきが大きくなる。すると、近接して備えられるユニット相互間、例えば、操作表示部と原稿読取部と装置本体のカバーとの間において、段差が生じてしまう。この場合、装置外観の品位を損なうおそれがあった。
【０００５】
本発明の目的は、近接するユニット間の段差をなくし、装置外観の品位を高く維持することである。
【課題を解決するための手段】
【０００６】
上述の目的を達成するため本発明の代表的な構成は、
装置本体に取り付けられる取付台座を具備する表示部と、
前記装置本体に対して移動可能に取り付けられる原稿読取部と、
を有する画像形成装置において、
前記取付台座には貫通穴が形成され、
前記装置本体に設けられた長突起が前記貫通穴を貫通して前記原稿読取部に設けられた位置決め穴に嵌合することを特徴とする。
【発明の効果】
【０００７】
上述の構成により、近接するユニット間の段差をなくし、装置外観の品位を高く維持することができる。
【図面の簡単な説明】
【０００８】
【図１】第１実施形態の画像形成装置の概略断面図。
【図２】第１実施形態の画像形成装置と操作表示部と原稿読取部を示す斜視図。
【図３】第１実施形態の操作表示部の詳細構成図。
【図４】第１実施形態の画像形成装置の分解斜視図。
【図５】第１実施形態の画像形成装置で原稿読取部が開いた状態を示す斜視図。
【図６】第１実施形態の画像形成装置と原稿読取部との取付けを示す概構成図。
【図７】第２実施形態の画像形成装置の分解斜視図。
【図８】第２実施形態の操作表示部の詳細構成図。
【図９】第２実施形態の画像形成装置と原稿読取部との取付けを示す概構成図。
【発明を実施するための形態】
【０００９】
〔第１実施形態〕
以下、図面を用いて第１実施形態について説明する。
【００１０】
まずは画像形成装置全体の概略構成を説明する。図１は第１実施形態の画像形成装置の概略断面図である。本実施形態では画像形成装置１として複写機を例示して説明する。
【００１１】
図１に示すように、本実施形態の画像形成装置１は、画像形成部として４つのプロセスカートリッジ２００（２００Ｙ、２００Ｍ、２００Ｃ、２００Ｋ）を有する。各プロセスカートリッジ２００の内部構成は同様であるため、以下の説明では、添え字であるＹ、Ｍ、Ｃ、Ｋを省略して説明する。プロセスカートリッジ２００は、それぞれ、イエロー（Ｙ）、マゼンタ（Ｍ）、シアン（Ｃ）、ブラック（Ｋ）の各色のトナー像を形成する。
【００１２】
プロセスカートリッジ２００は、トナー像を形成するための感光体ドラム２１０を有する。また、プロセスカートリッジ２００は、感光体ドラム２１０に作用するプロセス手段を複数有する。プロセス手段としては、帯電ローラ２２０、現像ローラ２３０、クリーニングブレード２４０がある。
【００１３】
この構成により、画像形成の際、感光体ドラム２１０は、まず、帯電ローラ２２０により所定の極性・電位に一様に帯電される。そして、感光体ドラム２１０は、露光部３００によってレーザ光を照射（露光）される。この露光を受けると、感光体ドラム２１０には静電潜像が形成される。
【００１４】
次に、感光体ドラム２１０上に形成された静電潜像に対して、現像ローラ２３０を有する現像部に収容される各色のトナーが供給される。これにより、感光体ドラム２１０上にはトナー像が形成される。
【００１５】
各プロセスカートリッジ２００の感光体ドラム２１０上にそれぞれ形成された４色のトナー像は、各感光体ドラム２１０から中間転写ベルト４００上に一次転写される。ここで、各色のトナー像は中間転写ベルト４００上で重畳され、フルカラーのトナー像となる。
【００１６】
シート搬送路を挟んで中間転写ベルト４００に対向する位置には、二次転写ローラ４１０が配設される。
【００１７】
一方、画像形成装置１の下端には、シートＳを積載収納する給送カセット５５０が配置される。給送カセット５５０に積載収納されたシートＳは、給送ローラ５００によって一枚ずつ給送される。
【００１８】
シートは、給送ローラ５００に給送されてシート搬送路にガイドされつつ、二次転写ローラ４１０に到達する。これに同期して、前述のように中間転写ベルト４００上に重畳転写されたフルカラーのトナー像が二次転写ローラ４１０に対向する位置に移動する。そして、二次転写ローラ４１０に印加された電圧により、中間転写ベルト４００上のトナー像は、一括してシートＳに二次転写される。
【００１９】
トナー像が二次転写されたシートＳは、定着器６００において、加熱及び加圧がなされる。これにより、シートＳ上のトナーが溶融混色して、トナー像がシートＳに定着する。以上の動作により、フルカラーのプリント画像が形成される。
【００２０】
また、画像形成装置１の側面にはカートリッジドア７００が配設される。カートリッジドア７００は、画像形成装置１に対して、ヒンジ７１０を中心に回動可能に取り付けられる。カートリッジドア７００を開くことにより、プロセスカートリッジ２００を交換する際、取り出すことができるようになる。
【００２１】
原稿読取部３は画像形成装置１の上部に取り付けられる。ユーザーが原稿読取部３に原稿をセットした後、原稿読取部３で読み取った画像入力情報に基づき画像形成装置１によって、上述のプリント出力が行われる。
【００２２】
本実施形態の特徴部分について、図を用いて詳細に説明をする。
【００２３】
図２は第１実施形態の画像形成装置と操作表示部と原稿読取部を示す斜視図である。図２に示すように、画像形成装置１には、装置前面に操作表示部２が配設され、画像形成装置１の上部には原稿読取部３が取り付けられる。図２は原稿読取部３が閉じた状態を示す。
【００２４】
図２に示すように、原稿読取部３は、原稿を載せて画像イメージを読み込むベース３１と、原稿を上から抑えるカバー３２から構成される。カバー３２はベース３１に対して回動自在に取り付けられる。
【００２５】
図３は第１実施形態の操作表示部の詳細構成図である。（ａ）は操作表示部２の全体斜視図で、（ｂ）は貫通穴２ａ及び位置決め溝２ｂを示す断面図である。
【００２６】
図３に示すように、操作表示部２は、取付台座２１と取付台座に対して移動可能な可動部としての表示パネル２２から構成され、取付台座２１に対して回動自在に表示パネル２２が取り付けられる。取付台座２１には上下方向に貫通する貫通穴２ａと、取付台座２１の下面に形成された位置決め用の位置決め溝２ｂが形成される。この場合、位置決め溝２ｂの断面が楕円形状の長穴であると、より正確な位置決めがされやすいが、必ずしも断面を楕円形状に限るものではない。操作表示部２の取付台座２１と画像形成装置１との固定は、不図示のビスによって固定される。
【００２７】
図４は第１実施形態の画像形成装置の分解斜視図である。図４を用いて、画像形成装置１の装置本体に付帯される本体カバー１１と、操作表示部２と、原稿読取部３との互いの位置決めについて説明する。
【００２８】
図４に示すように、画像形成装置１の本体カバー１１の上端の前方には、操作表示部２の取付台座２１が取り付く位置に２つのボスである長突起１ａと短突起１ｄが形成される。また、本体カバー１１の上端の後方には、原稿読取部３が回動可能に取り付く位置に横穴を設けた回転支点部１ｂと回転支点部１ｃとが突出して形成される。
【００２９】
操作表示部２は、図３に示したように、取付台座２１の奥側に形成された貫通穴２ａに、画像形成装置１の長突起１ａが貫通する。また、取付台座２１の手前側に形成された位置決め溝２ｂには、画像形成装置１の短突起１ｄが嵌合する。このように、操作表示部２は、貫通穴２ａ及び位置決め溝２ｂの２点で位置決めされるため、所望の姿勢に精度よく位置決めされる。
【００３０】
原稿読取部３は、ベース３１の下面の手前側端部に、操作表示部２の取付台座２１が嵌合する切欠形状３１ａが形成される。切欠形状３１ａの上面には位置決め用の位置決め穴３ａが形成される。
【００３１】
上述のように、画像形成装置１、操作表示部２、原稿読取部３には相互に位置決めをするための構成がある。
【００３２】
そして、図５に示すように、画像形成装置１、操作表示部２、原稿読取部３を互いに組み付ける。図５は第１実施形態の画像形成装置で原稿読取部が開いた状態を示す斜視図である。
【００３３】
このとき、画像形成装置１と操作表示部２は、画像形成装置１の短突起１ｄが操作表示部２の位置決め溝２ｂに嵌合する。また、画像形成装置１の本体カバー１１から延設される長突起１ａが操作表示部２の貫通穴２ａを貫通して、突出する。操作表示部２を貫通した長突起１ａは原稿読取部３の切欠形状３１ａの天面に下向きに形成された位置決め穴３ａに嵌まり込む。これによって、画像形成装置１、操作表示部２、原稿読取部３は位置決めされる。
【００３４】
図４及び図６を用いて、画像形成装置１と原稿読取部３の係合について説明する。図６は第１実施形態の画像形成装置と原稿読取部との取付けを示す概構成図である。
【００３５】
図４及び図６に示すように、画像形成装置１の本体カバー１１上端の後方に配設される回転支点部１ｂ及び回転支点部１ｃと、原稿読取部３の後方の下端に形成される回転支持軸３ｂ及び回転支持軸３ｃとが軸支される。
【００３６】
ここで、原稿読取部３の回転支持軸３ｂは、画像形成装置１の右後部の回転支点部１ｂに対し軸支される。回転支持軸３ｂが回転支点部１ｂに軸支される際には、Ｘ方向には所定のクリアランスを持たせ、かつＹ方向には嵌合するように構成される。
【００３７】
また、画像形成装置１の左後部の回転支点部１ｃに対し、原稿読取部３の回転支持軸３ｃが軸支される。回転支持軸３ｃが回転支点部１ｃに軸支される際には、Ｘ方向には所定のクリアランスを持たせ、かつＹ方向にも所定のクリアランスを持たせるように構成される。このように、原稿読取部３は画像形成装置１に対して、回動可能に取付けられる。
【００３８】
上記構成により、図２に示すように、原稿読取部３を画像形成装置１に対して閉じると、図４に示す画像形成装置１の長突起１ａが、操作表示部２の貫通穴２ａを貫通して、原稿読取部３の位置決め穴３ａに嵌合する。これにより、画像形成装置１、操作表示部２、原稿読取部３が位置決めされる。
【００３９】
上述のように、画像形成装置１と操作表示部２と原稿読取部３とが精度よく位置決めされると、本体手前側における段差がなくなる。具体的には、図２に示すように、画像形成装置１の本体カバー１１の操作表示部２の近傍であるＲ部と、操作表示部２の取付台座２１の一側面であるＱ部と、原稿読取部３の操作表示部２の近傍であるベース３１のＰ部とを、平面とすることができる。このため、画像形成装置１の目立つ側の平面を、優れた外観とすることができる。
【００４０】
〔第２実施形態〕
以下、図面を用いて第２実施形態について説明する。前述の実施形態と同様の構成については、説明を省略する。図７は第２実施形態の画像形成装置の分解斜視図である。
【００４１】
画像形成装置５には、操作表示部６と原稿読取部４が取り付けられる。画像形成装置５、操作表示部６、原稿読取部４の本来の機能は第１実施形態における画像形成装置１、操作表示部２、原稿読取部３と同様である。
【００４２】
図７に示すように、原稿読取部４は、原稿を載せて画像イメージを読み込むベース４１と、原稿を上から抑えるカバー４２から構成される。原稿読取部４は、ベース４１の下面の手前側端部に、操作表示部６の取付台座６１が嵌合する切欠形状４１ａが形成される。原稿読取部４の切欠形状４１ａには、天面から下方に突出し、操作表示部６の取付台座６１が取り付く位置に２つのボスである長突起４ａと短突起４ｄが形成される。
【００４３】
また、原稿読取部４の後方の下端には、形成される回転支持軸４ｂ及び回転支持軸４ｃが配置される。
【００４４】
図７に示すように、画像形成装置５の装置本体に付帯される本体カバー５１の上端の前方には、操作表示部２が取り付く位置に位置決め穴５ａが形成される。また、本体カバー５１の上端の後方には、原稿読取部４が回動可能に取り付く位置に横穴を設けた回転支点部５ｂと回転支点部５ｃとが突出して形成される。
【００４５】
図８は第２実施形態の操作表示部の詳細構成図である。（ａ）は操作表示部６の全体斜視図で、（ｂ）は貫通穴６ａ及び位置決め溝６ｂを示す断面図である。
【００４６】
操作表示部６は、取付台座６１と表示パネル６２とから構成される。操作表示部６は、図８に示すように、取付台座６１の奥側に形成された貫通穴６ａに、原稿読取部４の長突起４ａが貫通する。また、取付台座６１の手前側に形成された位置決め溝６ｂには、原稿読取部４の短突起４ｄが嵌合する。このように、操作表示部６は、貫通穴６ａ及び位置決め溝６ｂの２点で位置決めされるため、所望の姿勢に精度よく位置決めされる。なお、位置決め溝６ｂの断面が楕円形状の長穴であると、より正確な位置決めがされやすいが、必ずしも断面を楕円形状に限るものではない。
【００４７】
なお、操作表示部６の取付台座６１と画像形成装置５との固定は、不図示のビスによって固定される。
【００４８】
図９は第２実施形態の画像形成装置と原稿読取部との取付けを示す概構成図である。原稿読取部４は画像形成装置５に対して、次のように取り付く。
【００４９】
すなわち、画像形成装置５の本体カバー５１上端の後方に配設される回転支点部５ｂ及び回転支点部５ｃと、原稿読取部４の後方の下端に形成される回転支持軸４ｂ及び回転支持軸４ｃとが軸支される。
【００５０】
ここで、原稿読取部４の回転支持軸４ｂは、画像形成装置５の右後部の回転支点部５ｂに対し軸支される。回転支持軸４ｂが回転支点部５ｂに軸支される際には、Ｘ方向には所定のクリアランスを持たせ、かつＹ方向には嵌合するように構成される。
【００５１】
また、画像形成装置５の左後部の回転支点部５ｃに対し、原稿読取部４の回転支持軸４ｃが軸支される。回転支持軸４ｃが回転支点部５ｃに軸支される際には、Ｘ方向には所定のクリアランスを持たせ、かつＹ方向にも所定のクリアランスを持たせるように構成される。このように、原稿読取部４は画像形成装置５に対して、回動可能に取付けられる。
【００５２】
上記構成により、原稿読取部４を画像形成装置５に対して閉じると、原稿読取部４の長突起４ａが、操作表示部６の貫通穴６ａを貫通して、画像形成装置５の位置決め穴５ａに嵌合する。これにより、原稿読取部４、画像形成装置５、操作表示部６が位置決めされる。また、原稿読取部４の短突起４ｄは、操作表示部６の位置決め溝６ｂに対して嵌合する。
【００５３】
上述のように、原稿読取部４、画像形成装置５、操作表示部６とが精度よく位置決めされると、本体手前側における段差がなくなる。具体的には、図７に示すように、画像形成装置５の本体カバー５１の操作表示部６の近傍であるＶ部と、操作表示部６の取付台座６１の一側面であるＵ部と、原稿読取部４の操作表示部６の近傍であるベース４１のＴ部とを、平面とすることができる。このため、画像形成装置５の目立つ側の平面を、優れた外観とすることができる。
【００５４】
〔他の実施形態〕
第１実施形態及び第２実施形態で示した位置決めを組み合わせることで、例えば操作表示部のみ画像形成装置に固定して、操作表示部に対して原稿読取部の位置決めをすることも可能である。
【００５５】
第１実施形態及び第２実施形態で示した操作表示部２、６の表示パネル２２、６２は、タッチパネルのディスプレイである。つまり、表示パネル２２、６２は、情報の表示、及び、画像形成装置１、５と原稿読取部３、４の操作を行えるものであり、操作表示部２、６は、情報を表示する表示部、及び、操作を行うための操作部としての機能を有する。しかしながら、操作表示部２、６に代えて、可動部として表示部あるいは操作部の一方の機能を有するとしてもよい。
【００５６】
原稿読取部３、４は画像形成装置１、５に対する移動は回動に限定されない。例えば、平行にスライドする構成等であってもよい。同様に操作表示部２、６の可動部の取付台座２１、６１に対する移動は回動に限定されない。
【符号の説明】
【００５７】
１…画像形成装置
１１…本体カバー
１ａ…長突起
１ｄ…短突起
２…操作表示部
２ａ…貫通穴
２ｂ…位置決め溝
３…原稿読取部
３ａ…位置決め穴
２１…取付台座
【図１】
2015143761.tif 000003
【図２】
2015143761.tif 000004
【図３】
2015143761.tif 000005
【図４】
2015143761.tif 000006
【図５】
2015143761.tif 000007
【図６】
2015143761.tif 000008
【図７】
2015143761.tif 000009
【図８】
2015143761.tif 000010
【図９】
2015143761.tif 000011